(57)【要約】【課題】エアカーテンによる駆除効果が得られず、吸引可能なスリット部を飛び越えてしまうような昆虫類であっても、出入口部からの侵入を抑止することができる昆虫類侵入防止装置を提供する。【解決手段】昆虫類侵入防止装置１１において、壁部２７を床部２９の床面３１まで除いて形成した出入口部２１と、出入口部２１の開口間口方向両端３５に渡る床部２９に床面３１を凹ませて出入口部２１から外側へ離反する方向に所定距離を有して形成される凹部１３と、凹部１３の内側で凹部開口領域とほぼ同等の範囲で水勾配を有して形成される傾斜面と、傾斜面の傾斜上縁に接続されて傾斜面に水を供給する供給水路と、傾斜面の傾斜下縁に接続されて傾斜面を流下した水を排水する排水路と、を設けた。【選択図】  図１
2015221004.tif 000002
【特許請求の範囲】
【請求項１】
壁部を床部の床面まで除いて形成した出入口部と、
前記出入口部の開口間口方向両端に渡る前記床部に前記床面を凹ませて前記出入口部から外側へ離反する方向に所定距離を有して形成される凹部と、
前記凹部の内側で凹部開口領域とほぼ同等の範囲で水勾配を有して形成される傾斜面と、
前記傾斜面の傾斜上縁に接続されて前記傾斜面に水を供給する供給水路と、
前記傾斜面の傾斜下縁に接続されて前記傾斜面を流下した水を排水する排水路と、
を具備することを特徴とする昆虫類侵入防止装置。
【請求項２】
請求項１記載の昆虫類侵入防止装置であって、
前記凹部には、前記床面と同一平面となる人用歩行面が設けられることを特徴とする昆虫類侵入防止装置。
【請求項３】
請求項２記載の昆虫類侵入防止装置であって、
前記人用歩行面が、グレーチングの表面であることを特徴とする昆虫類侵入防止装置。
【請求項４】
請求項１，２，３のいずれか１つに記載の昆虫類侵入防止装置であって、
前記排水路が、前記床部に凹設された貯留槽に接続され、
前記排水路と前記貯留槽の境に水を通過させて昆虫類を捕捉する捕虫部が設けられることを特徴とする昆虫類侵入防止装置。
【請求項５】
請求項１〜４のいずれか１つに記載の昆虫類侵入防止装置であって、
前記壁部を前記床部の前記床面まで除いて形成した前記出入口部の開口間口方向両端に渡る前記床部に延在して設けられ溝開口が前記床面と同一平面となる水路と、
前記水路の水路一端部に給水して水を水路他端部方向へ流す給水ポンプと、
を具備することを特徴とする昆虫類侵入防止装置。
【請求項６】
請求項５記載の昆虫類侵入防止装置であって、
前記水路の終端に水を通過させて昆虫類を捕捉する捕虫部が設けられることを特徴とする昆虫類侵入防止装置。
【請求項７】
請求項１〜６のいずれか１つに記載の昆虫類侵入防止装置であって、
前記出入口部の上縁には、少なくとも開口間口方向両端に渡る長さで前記凹部に向かって所定の厚みの空気流を下向きに吹き出すエアカーテン生成装置が設けられていることを特徴とする昆虫類侵入防止装置。
【発明の詳細な説明】
【技術分野】
【０００１】
本発明は、医薬品、食品、電子部品、機械部品等の工場建物等への昆虫類の侵入を抑止する昆虫類侵入防止装置に関する。
【背景技術】
【０００２】
医薬品や食品を取り扱う各種の建物では高度の清浄度を維持しなければならず、当然に、清浄を維持するべき区画内への昆虫類の侵入を確実に防止する必要がある。一方、近年、地球環境保護への関心が高まり、殺虫剤一辺倒の防虫対策の反省から、施設の構造改善を含む総合的な防虫管理に、多くの工場が目を向け始めている。
【０００３】
例えば特許文献１に開示の防虫用エアカーテン装置は、室内空間への出入口を構成する通路空間の側部に、室外側エアを吸引する室外気吸込口と、通路空間を横方向に横断するエアカーテン気流吹出ノズルとを有するエア吸引吹出装置を設ける。吹出ノズルは吹出した気流が、適宜の吹出角度を有して室外空間側に向けて流れる吹出角度を保って配置され、通路空間の他側部には、エアカーテン気流と鋭角をなして当接し、エアカーテン気流を通路空間の室外空間側に逃がすバッフルボードを設けている。
【０００４】
この防虫用エアカーテン装置によれば、通路空間の一側にエア吸引吹出装置を、他側にバッフルボードを設けエア吸引吹出装置からのエアカーテン気流をバッフルボードに鋭角に当てることによりエアカーテン気流の下流部においてエアカーテン気流の密度が高くなり進入しようとする昆虫類を良好に排除することが可能となる。
【０００５】
ところで、エアカーテンやエアシャワー等の昆虫類侵入防止装置は、出入口に向かって飛び込んでくる昆虫類の侵入はほぼ防止できるが、床面を伝ってくる昆虫類の侵入は必ずしも充分に防止できない。すなわち、この種の装置は、通常、床面付近では流速が大きく低下してしまうため、床面にしっかりとしがみつきつつ這い込んでくる昆虫類の侵入を必ずしも確実に防止できない。
【０００６】
このような不具合を解消しようとするものの一つとして特許文献２に昆虫類侵入防止装置が開示されている。この昆虫類侵入防止装置は、捕獲対象の昆虫類を吸引可能なスリット部と、スリット部の下部に一体に接続されたチャンバ部とからなる捕獲機構を、昆虫類の侵入を防止するべき区画の出入口の外側または内側もしくはその双方の床面に全幅にわたって埋設する。スリット部の上部を吸込口として床面に開口させ、チャンバ部に吸込ブロワを接続して吸込口から床面近傍の空気を吸い込み、その吸引空気流によって床面を伝う昆虫類を吸い込んで捕獲する。
【０００７】
さらに、特許文献３には、建物の室内等への出入口の間仕切り閉鎖時に、この間仕切り外面に止っていた昆虫が、間仕切り開放により建物等内部に侵入することを防止する室内等への昆虫侵入防止方法及び防虫用エア吹出し装置付きの間仕切り設備が開示されている。この室内等への昆虫侵入防止方法及び防虫用エア吹出し装置付きの間仕切り設備は、室内等への出入口の間仕切り上方ないし側方部分に、防虫用エア吹出し装置を設ける。間仕切り開放に先だち、間仕切りへ防虫用エアを吹き付けることで、間仕切り外面及び周辺の昆虫を排除させる。その後、間仕切り外方へエアカーテンを形成し、次いで間仕切りを開放する。
【先行技術文献】
【特許文献】
【０００８】
【特許文献１】特開２０１１−２２６６８７号公報
【特許文献２】特開２００７−２９５８６３号公報
【特許文献３】特開２００３−２１４６７８号公報
【発明の概要】
【発明が解決しようとする課題】
【０００９】
しかしながら、特許文献１の防虫用エアカーテン装置、特許文献３の室内等への昆虫侵入防止方法及び防虫用エア吹出し装置付きの間仕切り設備は、出入口部に設けるエアカーテンで、昆虫を落とすものであるが、上方からのエアでは、床面にエアが達しにくく、届きにくい。従って、飛翔昆虫には有効かもしれないが、地上を走行する或いは匍匐する昆虫には十分な効果が得にくく、駆除できないものもある。また、特許文献２の昆虫類侵入防止装置は、入口床面のスリット部から、床面近傍の空気を吸い込み、その吸引空気流によって床面を伝う昆虫類を吸い込んで捕獲するが、スリット部と、チャンバ部とからなる捕獲機構を、床面に全幅にわたって埋設しなければならず、構造が複雑となる。これに加え、飛び跳ねる昆虫類（直翅類）の場合、スリット部を跳躍し飛び越えてしまうことで、出入口部からの侵入を防止できないことがある。
【００１０】
本発明は上記状況に鑑みてなされたもので、その目的は、エアカーテンによる駆除効果が得られず、吸引可能な床面のスリット部を跳躍し飛び越えてしまうような昆虫類であっても、出入口部からの侵入を抑止することができる昆虫類侵入防止装置を提供することにある。
【課題を解決するための手段】
【００１１】
次に、上記の課題を解決するための手段を、実施の形態に対応する図面を参照して説明する。
本発明の請求項１記載の昆虫類侵入防止装置１１は、壁部２７を床部２９の床面３１まで除いて形成した出入口部２１と、
前記出入口部２１の開口間口方向両端３５に渡る前記床部２９に前記床面３１を凹ませて前記出入口部２１から外側へ離反する方向に所定距離を有して形成される凹部１３と、
前記凹部１３の内側で凹部開口領域とほぼ同等の範囲で水勾配を有して形成される傾斜面１５と、
前記傾斜面１５の傾斜上縁４１に接続されて前記傾斜面１５に水１７を供給する供給水路２３と、
前記傾斜面１５の傾斜下縁５１に接続されて前記傾斜面１５を流下した水１７を排水する排水路２５と、
を具備することを特徴とする。
【００１２】
この昆虫類侵入防止装置１１では、建物に設けられた出入口部２１の前方、すなわち手前側となる出入口部２１よりも外側に、床部２９が設けられる。この床部２９には、出入口部２１の開口間口方向両端３５に渡り、床面３１を凹ませて、出入口部２１から外側へ離反する方向に所定距離を有した凹部１３が形成される。凹部１３の内側には、傾斜面１５が設けられる。傾斜面１５は、凹部開口領域とほぼ同等の範囲で水勾配を有する。傾斜面１５の傾斜上縁４１には、水１７を供給する供給水路２３が接続される。傾斜面１５の傾斜上縁４１に供給された水１７は、傾斜面１５を覆って流下する。傾斜面１５を流下した水１７は、傾斜下縁５１に接続された排水路２５によって凹部１３から排水される。これにより、傾斜面１５は、常に流水面によって覆われることになる。凹部１３に着地する昆虫類は、この傾斜面１５を流れる流水面に着水することになる。流水面に着水した昆虫類は、水１７の流れに乗って下流へ運ばれて、出入口部２１に到達できなくなる。
【００１３】
本発明の請求項２記載の昆虫類侵入防止装置１１は、請求項１記載の昆虫類侵入防止装置１１であって、
前記凹部１３には、前記床面３１と同一平面となる人用歩行面３７が設けられることを特徴とする。
【００１４】
この昆虫類侵入防止装置１１では、凹部１３に、床面３１と同一平面の人用歩行面３７が設けられる。人用歩行面３７は、開口を有して凹部１３を覆うものであってもよく、凹部１３に散在するもの、例えば飛び石７７等であってもよい。これにより、歩行者は、流水面に接することなく、人用歩行面３７を渡って、出入口部２１に到達できるようになる。
【００１５】
本発明の請求項３記載の昆虫類侵入防止装置１１は、請求項２記載の昆虫類侵入防止装置１１であって、
前記人用歩行面３７が、グレーチング３９の表面であることを特徴とする。
【００１６】
この昆虫類侵入防止装置１１では、凹部開口領域の全てが、グレーチング３９によって覆われる。グレーチング３９は、開口比（凹部開口領域の面積／開口面積）が人の歩行性と、直翅類等の昆虫類の落下性とに合わせて適宜に設定される。グレーチング３９は、同一の開口比の場合であっても、人の歩行性が良好となり、且つ直翅類が落下しやすい構造で形成される。人の歩行性が良好となり、且つ直翅類が落下しやすいグレーチング３９の構造例としては、例えば、鉛直面に板面が沿う複数の平行な板材を、直翅類の落下間隙を隔てて配置したスノコ状のものとすることができる。
【００１７】
本発明の請求項４記載の昆虫類侵入防止装置１１は、請求項１，２，３のいずれか１つに記載の昆虫類侵入防止装置１１であって、
前記排水路２５が、前記床部２９に凹設された貯留槽１９に接続され、
前記排水路２５と前記貯留槽１９の境に水１７を通過させて昆虫類を捕捉する捕虫部６５が設けられることを特徴とする。
【００１８】
この昆虫類侵入防止装置１１では、排水路２５と貯留槽１９の境に捕虫部６５を設けることで、貯留槽１９の直前まで流水によって運ばれてきた昆虫類を、水１７と共に例えば網状のかご等からなる捕虫部６５に投入し、昆虫類のみを容易に捕捉することができる。また、排水路２５の水１７を給水ポンプ４７にて循環させる場合には、目詰まり等による給水ポンプ４７への悪影響を低減できる。
【００１９】
本発明の請求項５記載の昆虫類侵入防止装置８３は、請求項１〜４のいずれか１つに記載の昆虫類侵入防止装置１１であって、
前記壁部２７を前記床部２９の前記床面３１まで除いて形成した前記出入口部２１の開口間口方向両端３５に渡る前記床部２９に延在して設けられ溝開口７９が前記床面３１と同一平面となる水路８１と、
前記水路８１の水路一端部８５に給水して水１７を水路他端部方向へ流す給水ポンプ４７と、
を具備することを特徴とする。
【００２０】
この昆虫類侵入防止装置８３では、水１７の流れの始端となる水路一端部８５に給水ポンプ４７から水１７が供給されると、水１７が流れの終端となる水路他端部８７に向かって流れ、出入口部２１と連続する床面３１が水路８１の流水面によって分断される。これにより、流水面を挟む一方側から他方側、すなわち、出入口部２１から侵入しようと歩行によって渡ろうとする、例えば、上記グレーチング３９を歩行或いは匍匐する昆虫類の侵入が困難となる。流水面に落下した昆虫類は、流れに乗って下流へ運ばれて、出入口部２１に到達できなくなる。また、水路８１の水１７は常に流れているので、よどまず、劣化しにくく、ボウフラ等が発生しにくい。
【００２１】
本発明の請求項６記載の昆虫類侵入防止装置８３は、請求項５記載の昆虫類侵入防止装置８３であって、
前記水路８１の終端に水１７を通過させて昆虫類を捕捉する捕虫部６５が設けられることを特徴とする。
【００２２】
この昆虫類侵入防止装置８３では、例えば水路８１の下流側となる終端に捕虫部６５を設けることで、この終端まで運ばれてきた昆虫類を、水１７と共に例えば網状のかご等からなる捕虫部６５に投入し、昆虫類のみを容易に捕捉することができる。また、水路８１を往路水路８９と復路水路９１とで構成する循環構造の場合に、貯留槽１９への還流水から昆虫類とともに異物も取り除くことができ、還流水の浄化にも寄与可能となる。
【００２３】
本発明の請求項７記載の昆虫類侵入防止装置１１は、請求項１〜６のいずれか１つに記載の昆虫類侵入防止装置１１であって、
前記出入口部２１の上縁には、少なくとも開口間口方向両端３５に渡る長さで前記凹部１３に向かって所定の厚みの空気流を下向きに吹き出すエアカーテン生成装置６７が設けられていることを特徴とする。
【００２４】
この昆虫類侵入防止装置１１では、出入口部２１の上縁には、エアカーテン生成装置６７のスリット状の吹出口が、出入口部２１の開口間口方向両端３５に渡って開口されている。エアカーテン生成装置６７の吹出口から所定速度の空気が整流されて吹き出されると、出入口部２１の開口面は、カーテン状となった所定厚の空気流によって覆われる。これにより、出入口部２１を飛翔して通過しようとする昆虫類は、下降する空気流によって急降下し、凹部１３に落下する。凹部１３に直接落下、または歩行の後落下した昆虫類は傾斜面１５の水流によって捕虫部６５へ運ばれる。
【発明の効果】
【００２５】
本発明に係る請求項１記載の昆虫類侵入防止装置によれば、エアカーテンによる駆除効果が得られず、吸引可能な床面のスリット部を跳躍し飛び越えてしまうような昆虫類であっても、出入口部からの侵入を抑止することができる。また、水が傾斜面を常に流れているので水の劣化や淀みが生じにくく、清潔感を保つことができる。
【００２６】
本発明に係る請求項２記載の昆虫類侵入防止装置によれば、人用歩行面を流水面から浮かせて配置でき、履物が濡れない。また、人用歩行面が床面と同じ面で確保でき、人の歩行が容易となる。
【００２７】
本発明に係る請求項３記載の昆虫類侵入防止装置によれば、凹部開口領域の全てがグレーチングに覆われ、グレーチングの表面が床面と面一となって、人が安全に歩行できる。
【００２８】
本発明に係る請求項４記載の昆虫類侵入防止装置によれば、排水路の終端まで運ばれてきた昆虫類を、水とともに捕虫部に投入し、昆虫類のみを容易に捕捉できる。
【００２９】
本発明に係る請求項５記載の昆虫類侵入防止装置によれば、常に流れる水で出入口部と床面との連続を分断して、昆虫類の歩行を阻止できるとともに、水路に落下若しくは水中歩行を試みる昆虫類を水流によって流すことで、簡素な構造で、出入口部から建物内への昆虫類の侵入を抑止できる。また、水が常に流れているので水の劣化や淀み、汚濁が生じにくく、清潔感を保つことができる。
【００３０】
本発明に係る請求項６記載の昆虫類侵入防止装置によれば、水路他端部の終端まで運ばれてきた昆虫類を、水とともに捕虫部に投入し、昆虫類のみを容易に捕捉することができる。
【００３１】
本発明に係る請求項７記載の昆虫類侵入防止装置によれば、飛翔により出入口部を通過しようとする昆虫類をエアカーテンによって凹部に向かって落下させ、落下した昆虫類を水路によって流すことで、出入口部からの昆虫類の侵入をさらに効果的に抑止できる。
【図面の簡単な説明】
【００３２】
【図１】本発明に係る昆虫類侵入防止装置の設けられた出入口部近傍の平面図である。
【図２】図１に示した凹部の縦断面図である。
【図３】傾斜面の水の流れを表す斜視図である。
【図４】図１に示した貯留槽の縦断面図である。
【図５】隅部に排水を集中させる変形例に係る傾斜面の斜視図である。
【図６】グレーチングを支える支柱が設けられた凹部の縦断面図である。
【図７】階段状の面を有する変形例に係る傾斜面の縦断面図である。
【図８】飛び石を設けた凹部の斜視図である。
【図９】溝開口を有する水路を備えた他の実施形態に係る昆虫類侵入防止装置の平面図である。
【図１０】図９に示した凹部と水路の縦断面図である。
【図１１】図１０に示した凹部と水路における水の流れを表す斜視図である。
【図１２】出入口部側に向かって下り勾配となる変形例に係る傾斜面の斜視図である。
【発明を実施するための形態】
【００３３】
以下、本発明に係る実施形態を図面を参照して説明する。
図１は本発明に係る昆虫類侵入防止装置１１の設けられた出入口部近傍の平面図、図２は図１に示した凹部１３の縦断面図、図３は傾斜面１５の水１７の流れを表す斜視図、図４は図１に示した貯留槽１９の縦断面図である。
本実施形態に係る昆虫類侵入防止装置１１は、出入口部２１と、凹部１３と、傾斜面１５と、供給水路２３と、排水路２５と、を主要な構成として備える。
【００３４】
出入口部２１は、壁部２７を床部２９の床面３１まで除いて形成される。本実施形態において、出入口部２１は、例えば玄関として、工場等の建物と外部との境に設けられる風除室３３に形成されるが、建物内の仕切り壁に設けられる開口、例えば区画された部屋間に設置される出入口や、廊下と部屋との境に設置される出入口であってもよい。出入口部２１が玄関である場合、床部２９は、例えば玄関ポーチとなる。
【００３５】
凹部１３は、出入口部２１の開口間口方向両端３５に渡る床部２９に床面３１を凹ませて形成される。また、凹部１３は、出入口部２１から外側へ離反する方向に所定距離を有して形成される。凹部１３は、少なくとも開口間口方向両端３５の距離を有する一対の平行な間口辺部と、この一対の間口辺部に挟まれる一対の平行な奥行辺部とによって四角形に形成することができる。ここで「少なくとも開口間口方向両端３５の距離を有する」とは、図１に示すように、開口間口方向両端３５の左右の袖壁２８の前も含んでもよいことを意味する。なお、凹部１３は、上記の四角形の他、開口間口方向両端３５に沿う間口辺部が弦となる半円形状等であってもよい。
【００３６】
凹部１３には、床面３１と同一平面となる人用歩行面３７が設けられる。
【００３７】
人用歩行面３７は、例えばグレーチング３９の表面とすることができる。
【００３８】
傾斜面１５は、凹部１３の内側で凹部開口領域とほぼ同等の範囲で形成される。この傾斜面１５は、図２に示すように、水勾配θ、例えば１／５０〜１／１００の勾配、好ましくは水が停滞せずに流れる角度を有している。傾斜面１５は、出入口部２１から外側へ向かって離反するに従って、低くなる傾斜で形成される。換言すれば、出入口部２１側に向かって上り勾配となる。傾斜面１５は、傾斜上縁４１が、床部２９の床面３１よりも低い位置、すなわち沈んだ位置となって配置されている。
本実施形態では、傾斜面１５は、例えば第１傾斜板４３によって形成される。第１傾斜板４３の下方には、第１傾斜板４３と逆勾配となった第２傾斜板４５が接続され配置されている。第２傾斜板４５は、第１傾斜板４３からの水を排水路２５へ送るための接続路を構成し、第１傾斜板４３の傾斜面１５を流下した水１７は、第２傾斜板４５の傾斜面１５を流下して、出入口部２１に接近する。出入口部２１の近傍に到達した水１７は、排水路２５に流入するようになっている。
【００３９】
供給水路２３は、第１傾斜板４３における傾斜面１５の傾斜上縁４１に接続される。供給水路２３は、傾斜面１５に水１７を供給する。供給水路２３には、後述の貯留槽１９に設けられた給水ポンプ４７からの吐出管４９によって水１７が供給される。
【００４０】
排水路２５は、第２傾斜板４５における傾斜面１５の傾斜下縁５１に接続される。排水路２５は、傾斜面１５を流下した水１７を排水する。なお、排水路２５は、第１傾斜板４３における傾斜面１５の傾斜下縁５１に、直接接続、すなわち第２傾斜板４５を省いて構成されてもよい。なお、上記した凹部１３の内面や傾斜面１５、供給水路２３や排水路２５は、ステンレス鋼板などＳＵＳ材を使用することで、その表面を昆虫類が這うことを防ぎ、防虫、防塵及び耐腐食性が高められている。また、ＳＵＳ材以外には、合成樹脂製素材や、樹脂コーティングされた素材なども使用可能である。
【００４１】
供給水路２３は、床部２９に凹設された図４に示す貯留槽１９に接続される。貯留槽１９は、例えば、鉄筋コンクリート構造とすることができる。貯留槽１９には、所定量の水１７である貯留水５３が貯水され、その水面は排水路２５の水面よりも下方に位置するよう設定される。排水路２５の還流水は、貯留槽１９に落下する。貯留槽１９に落下した還流水は、貯留槽１９に配設される給水ポンプ４７によって汲み上げられ再び供給水路２３に給水される。この貯留槽１９は、床面３１と同一平面の蓋５５によって覆われる。すなわち、貯留水５３の水面や給水ポンプ４７は表出しない。蓋５５は、保守点検時を除いて循環水の汚染及び安全性を配慮して、縞鋼板等を用いて扉構造とすることが好ましい。
【００４２】
吐出管４９には第１流量調整バルブ５７が設けられる。給水ポンプ４７と第１流量調整バルブ５７との間には分岐配管５９が接続される。分岐配管５９の先端は、貯留槽１９に開口し、常時閉の第２流量調整バルブ６１によって閉じられる。第２流量調整バルブ６１が開かれることで分岐配管５９は貯留槽１９へ開放可能となっている。つまり、第１流量調整バルブ５７と第２流量調整バルブ６１との弁開度を調整することで、吐出管４９の流量が調整可能となっている。
【００４３】
なお、貯留槽１９には給水のための図示しない給水管が上水道本管等、或いは雨水貯水槽等から導入されている。また、貯留槽１９には図４に示す水位警報フロートスイッチ６３が設けられ、水位警報フロートスイッチ６３は満水警報及び減水警報を発報制御する不図示の発報装置と接続される。なお、この貯留槽１９の貯水量は例えば約８０Ｌを保つよう設定される。
【００４４】
本実施形態では、排水路２５と貯留槽１９の境に水１７を通過させて昆虫類を捕捉する捕虫部６５が設けられる。捕虫部６５は、貯留槽１９に吊り下げ状態となっており、排水路２５からの落下する水１７を通過させるとともに昆虫類を捕捉する。捕虫部６５は、例えばステンレス鋼（ＳＵＳ）製のカゴや、樹脂製のカゴ、フレーム枠にネットを設けた捕虫網構造のもの等とすることができる。この捕虫部６５は、着脱自在な構成が好ましく、捕獲された昆虫類の廃棄を可能とし、または、捕虫ネット構造の場合では、ネットごと廃棄することも可能となる。また、この捕虫部６５に殺虫手段などを設けるなどとしてもよい。
【００４５】
昆虫類侵入防止装置１１は、出入口部２１の上縁には、少なくとも開口間口方向両端３５に渡る長さで凹部１３に向かって所定の厚みの空気流を下向き、或いは下向き且つやや出入口方向の斜めに吹き出す図１に示すエアカーテン生成装置６７が設けられていることが好ましい。
【００４６】
エアカーテン生成装置６７は、出入口部２１の内側、本実施形態では風除室３３に設けられる。エアカーテンを出入口部２１に形成することで、扉６９の開閉時に飛翔侵入するユスリカ、タマバエ、クロバネキノコバエなどの侵入をより効果的に防止することが可能となる。ここで、エアカーテンの平均風量は、捕獲対象として想定する昆虫類の種類や大きさ等を考慮し最適に設定する。ユスリカ、タマバエ、クロバネキノコバエなどを想定した場合、好適な一例を挙げれば、エアカーテンの平均風速は９．５ｍ／ｓｅｃ程度である。これによって、出入口部２１の扉６９の開閉時に飛翔侵入する昆虫類をエアカーテン生成装置６７から吹出す気流により下降させるとともに、気流によって落ちた昆虫類を傾斜面１５の流水へ落下させ、この流水によって捕虫部６５へ移送することが可能となる。なお、このエアカーテン生成装置６７は、出入口部２１の上縁以外に、出入口部２１の左右側縁部に配置してもよく、例えば出入口部２１を引戸構成とした場合に有効となり、さらには、出入口部２１の側方からの空気流を、上下位置で風量を変えたりすることで、飛翔侵入する昆虫類を落下へと促すことが可能となる。
【００４７】
次に、上記した構成の変形例を説明する。
図５は隅部に排水を集中させる変形例に係る傾斜面７１の斜視図である。なお、図１〜図４に示した部材・部位と同等の部材・部位には同一の符号を付し、重複する説明は省略するものとする。
傾斜面７１は、隅部に排水を集中させる一箇所集中排水としてもよい。すなわち、図例のように、傾斜下縁５１において、幅Ｗ方向の右端で、奥行きＤ方向の前端で排水路２５に接続してもよい。
【００４８】
図６はグレーチング３９を支える支柱７３が設けられた凹部１３の縦断面図である。
グレーチング３９は、傾斜面１５に立設した支柱７３の上端によって支持されてもよい。グレーチング３９は、支柱７３によって支持することで、強度を低くできる。これにより、凹部１３の開口率を大きくでき、大面積のグレーチング３９を支えることが可能となる。
【００４９】
図７は階段状の面を有する変形例に係る傾斜面７５の縦断面図である。
傾斜面７５は、傾斜方向に、複数の急傾斜面を、階段状に連続させて設けてもよい。これにより、それぞれの急傾斜面の傾斜角度を大きくすることができ、傾斜面７５毎に昆虫類を排水路２５へ送ることができ、昆虫類の移送効果を高めることができる。
【００５０】
図８は飛び石７７を設けた凹部１３の斜視図である。
昆虫類侵入防止装置１１は、グレーチング３９に代えて、飛び石７７を設けることで人用歩行面３７を確保してもよい。飛び石７７によれば、人用歩行面３７が島状に配置されることになり、出入口部２１までの昆虫類の歩行可能となる連続経路を断絶し無くすことができる。なお、これら飛び石７７や、上記した支柱７３は、その表面を、ステンレス鋼板などＳＵＳ材を使用することで、昆虫類が這うことを防ぎ、防虫、防塵及び耐腐食性が高められる。また、ＳＵＳ材以外には、合成樹脂製素材や、樹脂コーティングされた素材なども使用可能である。なお、これら飛び石７７の表面には、凹凸面を形成、例えばステンレス鋼板を成形して縞目を形成したり多数の突起を形成したり、或いは塗布や接着などで凸面を付加させる、例えばステンレス鋼板表面に樹脂製の突起を多数接着したり、表面の粗いテープ状の素材を接着固定したり、樹脂系塗料にて模様を塗布形成するなどしてもよく、これにより飛び石７７に人のための歩行時における滑り止め面を得ることができ、例えば雨天時に歩行者が滑る危険性を回避することができる。
【００５１】
次に、上記の構成を有する昆虫類侵入防止装置１１の作用を説明する。
本実施形態に係る昆虫類侵入防止装置１１では、建物に設けられた出入口部２１の前方である外側に、床部２９が設けられる。この床部２９には、出入口部２１の開口間口方向両端３５に渡り、例えばおよそ間口幅長方向で２０００ｍｍとされ、床面３１を凹ませて、例えばおよそ深さ５０〜１００ｍｍとされ、出入口部２１から外側へ離反する方向に所定距離を有した凹部１３が形成される。
【００５２】
所定距離は、直翅類の一回の跳躍距離にほぼ等しく設定される。跳躍とは、羽を用いた飛翔の距離は含まないものとする。例えばヒロアシタマトビハムシやナトビハムシなどの後脚が発達しジャンプする昆虫や、直翅類としては、例えば、バッタ、キリギリス、コオロギ、ケラ、カマドウマなどを挙げることができる。
【００５３】
出入口部２１の外側には、少なくとも開口間口方向両端３５の距離を有する一対の平行な間口辺部と、この一対の間口辺部に挟まれる一対の平行な奥行辺部とによって形成される四角形の凹部１３が凹設される。これにより、凹部１３を挟んで出入口部２１の反対側から出入口部２１に向かって跳躍する直翅類は、凹部１３に着地することとなる。
【００５４】
凹部１３の内側には、傾斜面１５が設けられる。傾斜面１５は、凹部開口領域とほぼ同等の範囲で水勾配θを有する。傾斜面１５の傾斜上縁４１には、水１７を供給する供給水路２３が接続される。傾斜面１５の傾斜上縁４１に供給された水１７は、傾斜面１５を覆って流下する。傾斜面１５を流下した水１７は、傾斜下縁５１に接続された排水路２５によって凹部１３から排水される。これにより、傾斜面１５は、常に流水面によって覆われることになる。なお、給水ポンプ４７から傾斜面１５への吐出量は、例えば１５０Ｌ／ｍｉｎ程度とされるが、この傾斜面１５への流水量と流水速度については、凹部１３の深さ、傾斜面１５の幅長や奥行き長、給水ポンプ４７の吐出量などの仕様から設定されることになり、捕獲対象として想定する昆虫類の種類や大きさなどを考慮して最適に設定される。
【００５５】
凹部１３に着地する昆虫類は、この傾斜面１５を流れる流水面に着水することとなる。流水面に着水した昆虫類は、水１７の流れに乗って下流へ運ばれて、出入口部２１に到達できなくなる。
【００５６】
また、この昆虫類侵入防止装置１１では、凹部１３に、床面３１と同一平面の人用歩行面３７が設けられる。人用歩行面３７は、開口を有して凹部１３を覆うものであってもよく、凹部１３に散在するもの、例えば飛び石７７等であってもよい。これにより、歩行者は、流水面に接することなく、人用歩行面３７を渡って、出入口部２１に到達できるようになる。その結果、人用歩行面３７を流水面から浮かせて配置でき、履物が濡れない。また、人用歩行面３７が床面３１と同じ面で確保でき、人の歩行が容易となる。
【００５７】
また、この昆虫類侵入防止装置１１では、凹部開口領域の全てが、グレーチング３９によって覆われる。グレーチング３９は、格子材による格子状、または平行な複数の桟材によるスノコ状に形成される。格子材や桟材の表面は、床面３１と同一平面となる。グレーチング３９は、開口比（凹部開口領域の面積／開口面積）が人の歩行性と、直翅類などの昆虫類の落下性とに合わせて適宜に設定される。グレーチング３９は、同一の開口比の場合であっても、人の歩行性が良好となり、且つ直翅類などの昆虫類が落下しやすい構造で形成される。人の歩行性が良好となり、且つ直翅類などの昆虫類が落下しやすいグレーチング３９の構造例としては、例えば、鉛直面に板面が沿う複数の平行な板材を、昆虫類の落下間隙を隔てて配置したスノコ状のものとすることができる。その結果、凹部開口領域の全てがグレーチング３９に覆われ、グレーチング３９の表面が床面３１と面一となって、人が安全に歩行できる。
【００５８】
また、この昆虫類侵入防止装置１１では、排水路２５と貯留槽１９の境に捕虫部６５を設けることで、貯留槽１９の直前まで流水によって運ばれてきた昆虫類を、水１７と共に例えば網状のかご等からなる捕虫部６５に投入し、昆虫類のみを容易に捕捉することができる。また、排水路２５の水１７を給水ポンプ４７にて循環させる場合には、目詰まり等による給水ポンプ４７への悪影響を低減できる。その結果、排水路２５の終端まで運ばれてきた昆虫類を、水１７とともに捕虫部６５に投入し、昆虫類のみを容易に捕捉できる。
【００５９】
この昆虫類侵入防止装置１１では、出入口部２１の上縁には、エアカーテン生成装置６７のスリット状の吹出口が、出入口部２１の開口間口方向両端３５に渡って開口されている。エアカーテン生成装置６７の吹出口から所定速度の空気が整流されて吹き出されると、出入口部２１の開口面は、カーテン状となった所定厚の空気流によって覆われる。これにより、出入口部２１を飛翔して通過しようとする昆虫類は、下降する空気流によって急降下し、凹部１３へと落下することとなる。凹部１３に直接落下、または歩行の後落下した昆虫類は傾斜面１５の水流によって捕虫部６５へ運ばれる。その結果、飛翔により出入口部２１を通過しようとする昆虫類をエアカーテンによって凹部１３に向かって落下させ、落下した昆虫類を傾斜面１５の流水によって流すことで、出入口部２１からの昆虫類の侵入をさらに効果的に抑止できる。
【００６０】
次に、昆虫類侵入防止装置１１の他の実施形態を説明する。
図９は溝開口７９を有する水路８１を備えた他の実施形態に係る昆虫類侵入防止装置８３の平面図、図１０は図９に示した凹部１３と水路８１の縦断面図、図１１は図１０に示した凹部１３と水路８１における水１７の流れを表す斜視図である。
昆虫類侵入防止装置８３は、壁部２７を床部２９の床面３１まで除いて形成した出入口部２１の開口間口方向両端３５に渡る床部２９に延在して設けられ溝開口７９が床面３１と同一平面となる水路８１と、水路８１の水路一端部８５に給水して水１７を水路他端部方向へ流す給水ポンプ４７と、を備える。給水ポンプ４７は、上記構成と共用することができる。
【００６１】
水路８１は、溝開口７９（図１０参照）が床面３１と同一平面となる。給水ポンプ４７は、水路８１の水路一端部８５に給水して水１７を水路他端部８７へ流す。水路８１は一本のもので、水路一端部８５から供給した水１７を水路他端部８７において、排水するものであってもよいが、本実施形態の水路８１は、往路水路８９と復路水路９１とからなる。
【００６２】
往路水路８９と復路水路９１とは、水路他端部８７で接続され連通した水路８１を構成する。水路接続部分である折り返し部分は、流れ抵抗を小さくするために円弧状の還流溝９３として形成されることが好ましい。還流溝９３は、例えば分割された複数の曲蓋によって覆われる。
【００６３】
往路水路８９及び復路水路９１は、出入口部２１の中央部、例えば扉６９や引戸等が配置される幅長部分では同一の溝幅で形成されるが、復路水路９１と建物とに挟まれる往路水路８９は、出入口部２１から外れた両側で図９に示す拡幅部９５を有している。拡幅部９５は、復路水路９１と建物壁部との間に渡って形成されることで、水路８１と建物壁部との間に昆虫類の這うことが可能となる平坦面ができるだけ形成されないように、且つ建物壁部の壁面に水路８１（往路水路８９）の溝開口７９が近接するように形成している。
【００６４】
往路水路８９及び復路水路９１は、例えばステンレス鋼（ＳＵＳ）製の溝部材からなる。水路８１は、ＳＵＳ材を使用することで、水路内壁面を昆虫類が這うことを防ぎ、防虫、防塵及び耐腐食性が高められている。また、ＳＵＳ材以外には、合成樹脂製のレール状部材や、樹脂コーティングされた略Ｕ字溝構造の部材なども使用可能である。
【００６５】
水路上部の溝開口７９には、捕獲した昆虫類が溝内壁面を這い上がることを防止したり、水路８１の流水が床面３１等に飛散することを防止したり、建物に出入する人の障害にならないようにしたりするための１０〜２０ｍｍ程度の張出長を有する返し縁部が設けられる。往路水路８９の水路一端部８５は閉塞板によって塞がれ、この閉塞板には給水ポンプ４７からの吐出管４９が貫通される。吐出管４９は、往路水路８９と、供給水路２３とに、分岐して接続される。復路水路９１の水路一端部８５は、開放され、貯留槽１９に接続されて、還流水が貯留槽１９に落下するように構成されている。
【００６６】
なお、これら往路水路８９と復路水路９１とは、溝底が下流方向に下り勾配の傾斜面で形成されていることが好ましい。また、これら往路水路８９と復路水路９１は、建物建造時に出入口部２１の構築とともに設置される施工手順と、既存の出入口部２１の床部２９をはつり、施工する手順と、いずれも配設可能である。
【００６７】
水路８１に流す流水量及び流水速度、水路８１の幅及び深さ、還流溝９３の曲率半径、給水ポンプ４７の吐出量等に関する各仕様は、捕獲対象として想定する昆虫類の種類や大きさ等を考慮して最適に設定する。例えば、カメムシ、テントウムシ、アリ、ハサミムシ等の昆虫類を想定した場合、好適な一例を挙げれば、水路８１の幅は６０ｍｍ程度、深さは１００ｍｍ程度、還流溝９３の曲率半径は４００ｍｍ程度、水路一端部８５及び水路一端部８５の付近での幅は１０５ｍｍ程度、水路内における流水の水深は４０〜５０ｍｍ程度、給水ポンプ４７の吐出量は１５０Ｌ／ｍｉｎ程度である。なお、水路８１に使用する水１７には、必要に応じて防腐剤等を添加、さらには殺虫成分を添加することとしてもよい。防腐剤は、夏期などの水温の高い時期に用いるとよい。
【００６８】
この昆虫類侵入防止装置８３では、水１７の流れの始端となる水路一端部８５に給水ポンプ４７から水１７が供給されると、水１７が流れの終端となる水路他端部８７に向かって流れ、出入口部２１と連続する床面３１が水路８１の流水面によって分断される。これにより、流水面を挟む一方側から他方側、すなわち、出入口部２１から侵入しようと歩行によって渡ろうとする、例えば、グレーチング３９を歩行する昆虫類の侵入が困難となる。流水面に落下した昆虫類は、流れに乗って下流へ運ばれて、出入口部２１に到達できなくなる。出入口部２１の床部２９には水路８１のみを設ける簡素な構造とすることができる。
【００６９】
また、昆虫類侵入防止装置８３では、水路８１の水１７は常に流れているので、よどまず、劣化しにくく、ボウフラ等が発生しにくい。その結果、常に流れる水１７で出入口部２１と床面３１との連続を分断して、昆虫類の歩行や匍匐を阻止できるとともに、水路８１に落下若しくは水中歩行を試みる昆虫類を水流によって流すことで、簡素な構造で、出入口部２１から建物内への昆虫類の侵入を抑止できる。また、水１７が常に流れているので水１７の劣化や淀み、汚濁が生じにくく、清潔感を保つことができる。  
【００７０】
昆虫類侵入防止装置８３は、水路他端部８７の終端に水１７を通過させて昆虫類を捕捉する捕虫部６５が設けられてもよい。
この昆虫類侵入防止装置８３では、例えば水路８１の下流側となる終端に捕虫部６５を設けることができる。この捕虫部６５は、凹部１３の排水路２５に設けられるものと共用することができる。水路他端部８７の終端に捕虫部６５を設けることで、終端まで運ばれてきた昆虫類を、水１７と共に捕虫部６５に投入し、昆虫類のみを容易に捕捉できる。また、水路８１を往路水路８９と復路水路９１とで構成する循環構造の場合に、貯留槽１９への還流水から昆虫類とともに異物も取り除くことができ、還流水の浄化にも寄与可能となる。その結果、水路他端部８７の終端まで運ばれてきた昆虫類を、水１７とともに捕虫部６５に投入し、昆虫類のみを容易に捕捉することができる。
【００７１】
図１２は出入口部側に向かって下り勾配となる変形例に係る傾斜面９７の斜視図である。
昆虫類侵入防止装置８３は、図３に示した傾斜面１５と逆傾斜の傾斜面９７を設けてもよい。傾斜面９７は、出入口部２１に向かって下り勾配となる斜面となる。出入口部２１に向かって下り勾配とすることで、貯留槽１９に排水路２５を近づけることができ、第２傾斜板４５を不要にして、凹部１３の深さを浅く構成することが可能となる。
【００７２】
傾斜面９７を設けた昆虫類侵入防止装置８３は、往路水路８９を傾斜面９７の排水路２５と接続することができる。すなわち、往路水路８９の還流水と、傾斜面９７の排水とを合流させて、排水路２５に流すことができる。これにより、還流溝９３や復路水路９１を省略して、構造を簡素にすることができる。
【００７３】
従って、本実施形態に係る昆虫類侵入防止装置１１、昆虫類侵入防止装置８３によれば、エアカーテンによる駆除効果が得られず、吸引可能な床面のスリット部を跳躍し飛び越えてしまうような昆虫類であっても、傾斜面１５を流れる水によって出入口部２１からの侵入を抑止することができる。
【符号の説明】
【００７４】
１１…昆虫類侵入防止装置
１３…凹部
１５…傾斜面
１７…水
１９…貯留槽
２１…出入口部
２３…供給水路
２５…排水路
２７…壁部
２９…床部
３１…床面
３５…開口間口方向両端
３７…人用歩行面
３９…グレーチング
４１…傾斜上縁
４７…給水ポンプ
５１…傾斜下縁
６５…捕虫部
６７…エアカーテン生成装置                                                      ７９…溝開口
８１…水路
８５…水路一端部
８７…水路他端部
θ…水勾配
【図１】
2015221004.tif 000003
【図２】
2015221004.tif 000004
【図３】
2015221004.tif 000005
【図４】
2015221004.tif 000006
【図５】
2015221004.tif 000007
【図６】
2015221004.tif 000008
【図７】
2015221004.tif 000009
【図８】
2015221004.tif 000010
【図９】
2015221004.tif 000011
【図１０】
2015221004.tif 000012
【図１１】
2015221004.tif 000013
【図１２】
2015221004.tif 000014
【手続補正書】
【提出日】平成26年9月3日(2014.9.3)
【手続補正１】
【補正対象書類名】明細書
【補正対象項目名】００１１
【補正方法】変更
【補正の内容】
【００１１】
次に、上記の課題を解決するための手段を、実施の形態に対応する図面を参照して説明する。
本発明の請求項１記載の昆虫類侵入防止装置１１は、壁部２７を床部２９の床面３１まで除いて形成した出入口部２１と、
前記出入口部２１の手前側に構成される玄関ポーチとなる前記床部２９に、前記出入口部２１の開口間口方向両端３５に渡り、且つ前記出入口部２１から外側へ離反する方向に所定距離を有し奥行きを備えて、所定の開口面積の範囲の前記床面３１を凹ませて形成される凹部１３と、
前記凹部１３の内側で凹部開口領域とほぼ同等の範囲で水勾配を有して形成される傾斜面１５と、
前記凹部１３内に配置されるとともに、前記傾斜面１５の傾斜上縁４１に接続されて前記傾斜面１５に水１７を供給する供給水路２３と、
前記凹部１３内に配置されるとともに、前記傾斜面１５の傾斜下縁５１に接続されて前記傾斜面１５を流下した水１７を排水する排水路２５と、
を具備することを特徴とする。
【手続補正２】
【補正対象書類名】明細書
【補正対象項目名】００１２
【補正方法】変更
【補正の内容】
【００１２】
この昆虫類侵入防止装置１１では、建物に設けられた出入口部２１の前方、すなわち手前側となる出入口部２１よりも外側の玄関ポーチに、床部２９が設けられる。この床部２９には、出入口部２１の開口間口方向両端３５に渡り、床面３１を凹ませて、出入口部２１から外側へ離反する方向に所定距離を有し奥行きを備えた所定の開口面積の範囲の凹部１３が形成される。凹部１３の内側には、傾斜面１５が設けられる。傾斜面１５は、凹部開口領域とほぼ同等の範囲で水勾配を有する。傾斜面１５の傾斜上縁４１には、水１７を供給する供給水路２３が接続される。傾斜面１５の傾斜上縁４１に供給された水１７は、傾斜面１５を覆って流下する。傾斜面１５を流下した水１７は、傾斜下縁５１に接続された排水路２５によって凹部１３から排水される。これにより、傾斜面１５は、常に流水面によって覆われることになる。凹部１３に着地する昆虫類は、この傾斜面１５を流れる流水面に着水することになる。流水面に着水した昆虫類は、水１７の流れに乗って下流へ運ばれて、出入口部２１に到達できなくなる。
【手続補正３】
【補正対象書類名】特許請求の範囲
【補正対象項目名】全文
【補正方法】変更
【補正の内容】
【特許請求の範囲】
【請求項１】
壁部を床部の床面まで除いて形成した出入口部と、
前記出入口部の手前側に構成される玄関ポーチとなる前記床部に、前記出入口部の開口間口方向両端に渡り、且つ前記出入口部から外側へ離反する方向に所定距離を有し奥行きを備えて、所定の開口面積の範囲の前記床面を凹ませて形成される凹部と、
前記凹部の内側で凹部開口領域とほぼ同等の範囲で水勾配を有して形成される傾斜面と、
前記凹部内に配置されるとともに、前記傾斜面の傾斜上縁に接続されて前記傾斜面に水を供給する供給水路と、
前記凹部内に配置されるとともに、前記傾斜面の傾斜下縁に接続されて前記傾斜面を流下した水を排水する排水路と、
を具備することを特徴とする昆虫類侵入防止装置。
【請求項２】
請求項１記載の昆虫類侵入防止装置であって、
前記凹部には、前記床面と同一平面となる人用歩行面が設けられることを特徴とする昆虫類侵入防止装置。
【請求項３】
請求項２記載の昆虫類侵入防止装置であって、
前記人用歩行面が、グレーチングの表面であることを特徴とする昆虫類侵入防止装置。
【請求項４】
請求項１，２，３のいずれか１つに記載の昆虫類侵入防止装置であって、
前記排水路が、前記床部に凹設された貯留槽に接続され、
前記排水路と前記貯留槽の境に水を通過させて昆虫類を捕捉する捕虫部が設けられることを特徴とする昆虫類侵入防止装置。
【請求項５】
請求項１〜４のいずれか１つに記載の昆虫類侵入防止装置であって、
前記壁部を前記床部の前記床面まで除いて形成した前記出入口部の開口間口方向両端に渡る前記床部に延在して設けられ溝開口が前記床面と同一平面となる水路と、
前記水路の水路一端部に給水して水を水路他端部方向へ流す給水ポンプと、
を具備することを特徴とする昆虫類侵入防止装置。
【請求項６】
請求項５記載の昆虫類侵入防止装置であって、
前記水路の終端に水を通過させて昆虫類を捕捉する捕虫部が設けられることを特徴とする昆虫類侵入防止装置。
【請求項７】
請求項１〜６のいずれか１つに記載の昆虫類侵入防止装置であって、
前記出入口部の上縁には、少なくとも開口間口方向両端に渡る長さで前記凹部に向かって所定の厚みの空気流を下向きに吹き出すエアカーテン生成装置が設けられていることを特徴とする昆虫類侵入防止装置。
【手続補正書】
【提出日】平成26年11月18日(2014.11.18)
【手続補正１】
【補正対象書類名】明細書
【補正対象項目名】００１１
【補正方法】変更
【補正の内容】
【００１１】
次に、上記の課題を解決するための手段を、実施の形態に対応する図面を参照して説明する。
本発明の請求項１記載の昆虫類侵入防止装置１１は、壁部２７を床部２９の床面３１まで除いて形成した出入口部２１と、
前記出入口部２１の手前側に構成される玄関ポーチとなる前記床部２９に、前記出入口部２１の開口間口方向両端３５に渡り、且つ前記出入口部２１から外側へ離反する方向に所定距離を有し奥行きを備えて、所定の開口面積の範囲の前記床面３１を凹ませて形成される凹部１３と、
前記出入口部２１の開口間口方向と直交する方向を傾斜方向として傾斜し、前記凹部１３の内側で凹部開口領域とほぼ同等の範囲で水勾配を有して形成される傾斜面１５と、
前記出入口部２１の開口間口方向両端に渡って前記凹部１３内に前記出入口部２１の開口間口方向を長手方向とされて配置されるとともに、該長手方向に沿って前記傾斜面１５の傾斜上縁４１が接続されて前記傾斜面１５を覆うように水１７を供給する供給水路２３と、
前記凹部１３内に配置されるとともに、前記傾斜面１５の傾斜下縁５１に接続されて前記傾斜面１５を流下した水１７を排水する排水路２５と、
を具備することを特徴とする。
【手続補正２】
【補正対象書類名】明細書
【補正対象項目名】００１２
【補正方法】変更
【補正の内容】
【００１２】
この昆虫類侵入防止装置１１では、建物に設けられた出入口部２１の前方、すなわち手前側となる出入口部２１よりも外側の玄関ポーチに、床部２９が設けられる。この床部２９には、出入口部２１の開口間口方向両端３５に渡り、床面３１を凹ませて、出入口部２１から外側へ離反する方向に所定距離を有し奥行きを備えた所定の開口面積の範囲の凹部１３が形成される。凹部１３の内側には、傾斜面１５が設けられる。傾斜面１５は、凹部開口領域とほぼ同等の範囲で水勾配を有する。傾斜面１５の傾斜上縁４１には、水１７を供給する供給水路２３が、供給水路２３の長手方向に沿って接続される。傾斜面１５の傾斜上縁４１に供給された水１７は、傾斜面１５を覆って流下する。傾斜面１５を流下した水１７は、傾斜下縁５１に接続された排水路２５によって凹部１３から排水される。これにより、傾斜面１５は、常に流水面によって覆われることになる。凹部１３に着地する昆虫類は、この傾斜面１５を流れる流水面に着水することになる。流水面に着水した昆虫類は、水１７の流れに乗って下流へ運ばれて、出入口部２１に到達できなくなる。
【手続補正３】
【補正対象書類名】特許請求の範囲
【補正対象項目名】全文
【補正方法】変更
【補正の内容】
【特許請求の範囲】
【請求項１】
壁部を床部の床面まで除いて形成した出入口部と、
前記出入口部の手前側に構成される玄関ポーチとなる前記床部に、前記出入口部の開口間口方向両端に渡り、且つ前記出入口部から外側へ離反する方向に所定距離を有し奥行きを備えて、所定の開口面積の範囲の前記床面を凹ませて形成される凹部と、
前記出入口部の開口間口方向と直交する方向を傾斜方向として傾斜し、前記凹部の内側で凹部開口領域とほぼ同等の範囲で水勾配を有して形成される傾斜面と、
前記出入口部の開口間口方向両端に渡って前記凹部内に前記出入口部の開口間口方向を長手方向とされて配置されるとともに、該長手方向に沿って前記傾斜面の傾斜上縁が接続されて、前記傾斜面を覆うように水を供給する供給水路と、
前記凹部内に配置されるとともに、前記傾斜面の傾斜下縁に接続されて前記傾斜面を流下した水を排水する排水路と、
を具備することを特徴とする昆虫類侵入防止装置。
【請求項２】
請求項１記載の昆虫類侵入防止装置であって、
前記凹部には、前記床面と同一平面となる人用歩行面が設けられることを特徴とする昆虫類侵入防止装置。
【請求項３】
請求項２記載の昆虫類侵入防止装置であって、
前記人用歩行面が、グレーチングの表面であることを特徴とする昆虫類侵入防止装置。
【請求項４】
請求項１，２，３のいずれか１つに記載の昆虫類侵入防止装置であって、
前記排水路が、前記床部に凹設された貯留槽に接続され、
前記排水路と前記貯留槽の境に水を通過させて昆虫類を捕捉する捕虫部が設けられることを特徴とする昆虫類侵入防止装置。
【請求項５】
請求項１〜４のいずれか１つに記載の昆虫類侵入防止装置であって、
前記壁部を前記床部の前記床面まで除いて形成した前記出入口部の開口間口方向両端に渡る前記床部に延在して設けられ溝開口が前記床面と同一平面となる水路と、
前記水路の水路一端部に給水して水を水路他端部方向へ流す給水ポンプと、
を具備することを特徴とする昆虫類侵入防止装置。
【請求項６】
請求項５記載の昆虫類侵入防止装置であって、
前記水路の終端に水を通過させて昆虫類を捕捉する捕虫部が設けられることを特徴とする昆虫類侵入防止装置。
【請求項７】
請求項１〜６のいずれか１つに記載の昆虫類侵入防止装置であって、
前記出入口部の上縁には、少なくとも開口間口方向両端に渡る長さで前記凹部に向かって所定の厚みの空気流を下向きに吹き出すエアカーテン生成装置が設けられていることを特徴とする昆虫類侵入防止装置。